(57)【特許請求の範囲】
【請求項１】
高温暖房運転が可能な高温暖房端末が設けられた高温熱媒通流路が、熱媒を加熱可能な加熱手段を経由して熱媒を通流させる熱媒加熱通流路における熱媒送出用の出口と熱媒戻し用の入口とに接続された状態で設けられ、
低温暖房運転が可能な低温暖房端末が設けられた低温熱媒通流路が、前記熱媒加熱通流路における前記熱媒戻し用の入口と前記加熱手段との間の流路部分と前記熱媒戻し用の入口とに接続された状態で設けられ、
前記高温暖房端末への熱媒供給を断続又は調整するように前記高温熱媒通流路の開度を調整する高温側熱媒通流調整手段と、前記低温暖房端末への熱媒供給を断続又は調整するように前記低温熱媒通流路の開度を調整する低温側熱媒通流調整手段と、を備えた熱媒供給設備であって、
前記低温暖房端末において冷房運転が可能であり、
熱媒を冷却可能な冷却手段を経由して熱媒を通流させる熱媒冷却通流路が、前記低温熱媒通流路における前記低温暖房端末と前記熱媒戻し用の入口との間の流路部分において、流路切替手段により、前記低温暖房端末と前記熱媒戻し用の入口とを接続する熱媒通流路として前記低温熱媒通流路に接続される冷房側状態と、前記低温熱媒通流路から分離される暖房側状態と、を切替自在な状態で設けられており、
前記高温暖房端末及び前記低温暖房端末に要求される運転状態に基づいて、前記高温側熱媒通流調整手段と、前記低温側熱媒通流調整手段と、前記流路切替手段との作動を制御する制御手段が設けられた熱媒供給設備。
【請求項２】
前記熱媒加熱通流路における前記加熱手段と前記熱媒加熱通流路における前記熱媒送出用の出口との間の流路部分と、前記熱媒加熱通流路における前記熱媒戻し用の入口と前記熱媒加熱通流路における前記低温熱媒通流路の接続点との間の流路部分と、を連通接続するバイパス路が設けられ、
前記バイパス路における熱媒の通流を断続するように当該バイパス路を開閉するバイパス路開閉手段が設けられており、
前記制御手段が、前記運転状態に基づいて、前記バイパス路開閉手段の作動を制御する請求項１記載の熱媒供給設備。
【請求項３】
前記バイパス路開閉手段が、前記バイパス路を通流する熱媒の流量を調整自在に設けられた請求項２記載の熱媒供給設備。
【請求項４】
請求項１記載の熱媒供給設備において、前記低温暖房端末に冷房運転が要求された場合は、前記制御手段に、前記低温側熱媒通流調整手段を開状態、前記高温側熱媒通流調整手段を閉状態、前記流路切替手段を前記冷房側状態とした状態で、熱媒を前記低温熱媒通流路と前記熱媒冷却通流路とを循環させて前記低温暖房端末で冷房運転を行わせる冷房運転制御を行わせる熱媒供給設備の運転制御方法。
【請求項５】
請求項２又は３記載の熱媒供給設備において、前記低温暖房端末に冷房運転が要求された場合は、前記制御手段に、前記低温側熱媒通流調整手段を開状態、前記高温側熱媒通流調整手段を閉状態、前記流路切替手段を前記冷房側状態、前記バイパス路開閉手段を閉状態とした状態で、熱媒を前記低温熱媒通流路と前記熱媒冷却通流路とを循環させて前記低温暖房端末で冷房運転を行わせる冷房運転制御を行わせる熱媒供給設備の運転制御方法。
【請求項６】
前記低温暖房端末に冷房運転が要求された場合に、前記制御手段に前記冷房運転制御を行わせる前に、前記低温側熱媒通流調整手段と前記高温側熱媒通流調整手段とを閉状態、前記バイパス路開閉手段を開状態とした状態で、熱媒を前記バイパス路経由で前記熱媒加熱通流路を循環させて前記加熱手段で放熱させる放熱運転制御を行わせる請求項５記載の熱媒供給設備の運転制御方法。
【請求項７】
請求項１〜３のいずれか一項記載の熱媒供給設備において、
前記低温暖房端末に運転の要求がなく且つ前記高温暖房端末に高温暖房運転が要求される高温単独暖房運転が要求された場合は、前記高温側熱媒通流調整手段を開状態、前記低温側熱媒通流調整手段を閉状態、前記流路切替手段を前記暖房側状態とした状態で、
前記高温暖房端末に運転の要求がなく且つ前記低温暖房端末に低温暖房運転が要求される低温単独暖房運転が要求された場合は、前記高温側熱媒通流調整手段を閉状態、前記低温側熱媒通流調整手段を開状態、前記流路切替手段を前記暖房側状態とした状態で、
前記高温暖房端末に高温暖房運転が要求され且つ前記低温暖房端末に低温暖房運転が要求される高温低温同時暖房運転が要求された場合は、前記高温側熱媒通流調整手段及び前記低温側熱媒通流調整手段を開状態、前記流路切替手段を前記暖房側状態とした状態で、
前記加熱手段で加熱した熱媒を循環させて暖房運転を行わせる暖房運転制御を前記制御手段に行わせる熱媒供給設備の運転制御方法。
【発明の詳細な説明】
【技術分野】
【０００１】
本発明は、高温暖房運転が可能な高温暖房端末が設けられた高温熱媒通流路が、熱媒を加熱可能な加熱手段を経由して熱媒を通流させる熱媒加熱通流路における熱媒送出用の出口と熱媒戻し用の入口とに接続された状態で設けられ、低温暖房運転が可能な低温暖房端末が設けられた低温熱媒通流路が、前記熱媒加熱通流路における前記熱媒戻し用の入口と前記加熱手段との間の流路部分と前記熱媒戻し用の入口とに接続された状態で設けられ、前記高温暖房端末への熱媒供給を断続又は調整するように前記高温熱媒通流路の開度を調整する高温側熱媒通流調整手段と、前記低温暖房端末への熱媒供給を断続又は調整するように前記低温熱媒通流路の開度を調整する低温側熱媒通流調整手段と、を備えた熱媒供給設備に関する。
【背景技術】
【０００２】
上記は、いわゆる２温度コントロール方式の熱媒供給設備であり、高温暖房端末及び低温暖房端末に熱媒を循環供給して、高温暖房及び低温暖房を行う。一般に、高温暖房端末は浴室乾燥暖房装置やファンコンベクター等で構成され、８０℃程度の温水により温風による高温暖房を行う。また、低温暖房端末は床暖房装置やパネルラジエータ等で構成され、６０℃程度の温水により輻射熱による低温暖房を行う。このような熱媒供給設備では、熱媒の持つ熱量を暖房に利用するため、加熱により高温にした熱媒を、暖房対象の需要箇所に循環させて暖房を行う（例えば特許文献１参照）。
【先行技術文献】
【特許文献】
【０００３】
【特許文献１】特開２００９−２１６２８８号公報
【発明の概要】
【発明が解決しようとする課題】
【０００４】
上記の熱媒供給設備は、高温の熱媒を暖房対象の需要箇所に循環させるために、熱媒を需要箇所に循環させるための流路である熱媒通流路（例えば配管）と、熱媒を需要箇所に循環させるための動力源である熱媒循環手段（例えば循環ポンプ）とを備えている。
しかし、上記の熱媒供給設備は、熱媒を需要箇所に循環させるための熱媒通流路及び熱媒循環手段を備えているにも関わらず、これまで暖房にしか利用されていなかった。
【０００５】
そこで、設備を有効活用するために、上記の熱媒供給設備に低温熱源を含む冷房回路を組み込み、暖房運転と冷房運転の切替を可能とし、冷房運転時には、高温の熱媒に代えて冷温の熱媒を需要箇所に循環させることで、設備を暖房運転だけでなく、冷房運転にも利用することが考えられる。
【０００６】
しかしながら、単に上記の熱媒供給設備に冷房回路を接続し、熱媒通流路に冷温の熱媒を循環させるだけでは、結露やそれによる金属の腐食等が発生し、設備の磨耗・損傷や性能の劣化を加速し、設備の耐久性を低下させる恐れがある。
特に、熱媒加熱通流路に設けられる加熱手段（例えば、熱交換器、バーナ、送風機、から構成される）は、加熱及び放熱効率を高めるべく、高い熱伝導性で構成されることが通常であるため、例えば、高温の熱媒から冷温の熱媒への切替えのような、急速な温度の低下があった場合には、結露が発生しやすく、設備の性能の劣化や耐久性の低下が懸念される。
【０００７】
本発明は上記実情に鑑みて為されたものであって、その目的は、高温或いは冷温の熱媒を循環させることにより、暖房運転及び冷房運転が可能な熱媒供給設備を提供する点にある。また、そのような設備において、結露を防ぎ、設備の耐久性の低下を防止する点にある。
【課題を解決するための手段】
【０００８】
この目的を達成するために、本発明に係る熱媒供給設備は、
高温暖房運転が可能な高温暖房端末が設けられた高温熱媒通流路が、熱媒を加熱可能な加熱手段を経由して熱媒を通流させる熱媒加熱通流路における熱媒送出用の出口と熱媒戻し用の入口とに接続された状態で設けられ、
低温暖房運転が可能な低温暖房端末が設けられた低温熱媒通流路が、前記熱媒加熱通流路における前記熱媒戻し用の入口と前記加熱手段との間の流路部分と前記熱媒戻し用の入口とに接続された状態で設けられ、
前記高温暖房端末への熱媒供給を断続又は調整するように前記高温熱媒通流路の開度を調整する高温側熱媒通流調整手段と、前記低温暖房端末への熱媒供給を断続又は調整するように前記低温熱媒通流路の開度を調整する低温側熱媒通流調整手段と、を備えた熱媒供給設備であって、その第１特徴構成は、
前記低温暖房端末において冷房運転が可能であり、
熱媒を冷却可能な冷却手段を経由して熱媒を通流させる熱媒冷却通流路が、前記低温熱媒通流路における前記低温暖房端末と前記熱媒戻し用の入口との間の流路部分において、流路切替手段により、前記低温暖房端末と前記熱媒戻し用の入口とを接続する熱媒通流路として前記低温熱媒通流路に接続される冷房側状態と、前記低温熱媒通流路から分離される暖房側状態と、を切替自在な状態で設けられており、
前記高温暖房端末及び前記低温暖房端末に要求される運転状態に基づいて、前記高温側熱媒通流調整手段と、前記低温側熱媒通流調整手段と、前記流路切替手段との作動を制御する制御手段が設けられた点にある。
【０００９】
本特徴構成によれば、熱媒を冷却可能な冷却手段を経由して熱媒を通流させる熱媒冷却通流路が、低温熱媒通流路に設けられた低温暖房端末と熱媒戻し用の入口との間の流路部分において、流路切替手段を介して低温熱媒通流路に接続されている。
そして、流路切替手段により、熱媒冷却通流路を低温熱媒通流路に接続し、熱媒を冷却手段を経由させて冷却した上で熱媒戻し用の入口に通流させる冷房側状態と、熱媒冷却通流路を低温熱媒通流路から分離し、熱媒を冷却することなく熱媒戻し用の入口に通流させる暖房側状態とを切替自在に構成されている。
従って、制御手段は、高温暖房端末及び低温暖房端末に要求される運転状態に基づいて、高温側熱媒通流調整手段と、低温側熱媒通流調整手段と、流路切替手段の作動を制御することで、当該運転状態に好適な熱媒通流回路を構成することができる。
【００１０】
即ち、上記熱媒供給設備において、暖房運転を行う場合は、制御手段は、流路切替手段を暖房側状態に切替える。これにより、熱媒冷却通流路を低温熱媒通流路から分離して、熱媒を冷却することなく熱媒戻し用の入口に通流させる回路を構成することができる。つまり、熱媒加熱通流路の加熱手段において加熱した高温の熱媒を、熱媒冷却通流路を通流させることなく、高温熱媒通流路及び低温熱媒通流路に循環通流させることができる。これにより、従来の熱媒供給設備と同様に、高温暖房運転及び低温暖房運転、並びに高温低温同時暖房運転を行うことができる。
【００１１】
一方、冷房運転を行う場合は、制御手段は、流路切替手段を冷房側状態に切替えるとともに、高温側熱媒通流調整手段を閉状態とする。
流路切替手段を冷房側状態に切替えたことにより、熱媒冷却通流路が低温熱媒通流路に接続される。これにより、熱媒は熱媒冷却通流路で冷却手段を経由し、冷却手段により冷却されて、冷温の熱媒として低温熱媒通流路に通流する。そして、当該冷温の熱媒により、低温暖房端末で冷房運転が行われる。
また、高温側熱媒通流調整手段を閉状態としたことにより、高温熱媒通流路及び熱媒加熱通流路への熱媒の循環通流が防止される。これにより、熱媒加熱通流路に設けられた加熱手段において、冷温の熱媒の通流による急激な温度低下による結露が発生するのを防止できる。加えて、高温熱媒通流路及び熱媒加熱通流路の閉止により熱媒が設備を内部循環することによる圧力降下を抑えることができるため、熱媒の循環に必要な熱媒循環手段の揚程の確保を容易にすることができる。
【００１２】
このように、本特徴構成によれば、熱媒を需要箇所に循環させるための熱媒通流路を活用して、高温或いは冷温の熱媒を循環させることで、暖房運転及び冷房運転が可能な熱媒供給設備を提供することができる。また、冷房運転時には、高温熱媒通流路及び熱媒加熱通流路への循環通流を閉止することで、熱媒加熱通流路への熱媒の流入を防止する。これにより、特に結露が発生しやすい加熱手段における結露を防ぎ、設備の性能の劣化及び耐久性の低下を防止することができる。
【００１３】
本発明に係る熱媒供給設備の第２特徴構成は、前記第１特徴構成において、
前記熱媒加熱通流路における前記加熱手段と前記熱媒加熱通流路における前記熱媒送出用の出口との間の流路部分と、前記熱媒加熱通流路における前記熱媒戻し用の入口と前記熱媒加熱通流路における前記低温熱媒通流路の接続点との間の流路部分と、を連通接続するバイパス路が設けられ、
前記バイパス路における熱媒の通流を断続するように当該バイパス路を開閉するバイパス路開閉手段が設けられており、
前記制御手段が、前記運転状態に基づいて、前記バイパス路開閉手段の作動を制御する点にある。
【００１４】
本特徴構成によれば、熱媒加熱通流路における熱媒送出用の流路部分と熱媒加熱通流路における熱媒戻し用の流路部分とを接続するバイパス路が設けられている。そして、バイパス路における熱媒の通流を断続するようにバイパス路を開閉するバイパス路開閉手段が設けられており、制御手段が、高温暖房端末及び低温暖房端末に要求される運転状態に基づいて、バイパス路開閉手段の作動を制御する。
即ち、熱媒加熱通流路における熱媒送出用の出口から送出された熱媒が、高温暖房端末が設けられた高温熱媒通流路を経由することなく熱媒加熱通流路における熱媒戻し用の入口に通流可能にバイパス路が設けられている。また、当該バイパス路を経由する熱媒の通流を断続するためのバイパス路開閉手段の開閉作動が、制御手段により制御されている。
【００１５】
このような構成によれば、制御手段により、バイパス路開閉手段を開状態、高温側熱媒通流調整手段を閉状態とすることで、熱媒が高温熱媒通流路を通流することなく循環可能な閉回路を構成することができる。これにより、熱媒を、熱媒加熱通流路及びバイパス路だけを循環させて熱媒加熱通流路に設けられた加熱手段で放熱させることや、高温熱媒通流路を通流させることなく低温熱媒通流路を循環させて低温暖房端末で低温暖房に利用することが可能となる。
【００１６】
本発明に係る熱媒供給設備の第３特徴構成は、前記第２特徴構成において、前記バイパス路開閉手段が、前記バイパス路を通流する熱媒の流量を調整自在に設けられた点にある。
【００１７】
本特徴構成によれば、バイパス路開閉手段が、バイパス路を通流する熱媒の流量を調整自在に設けられている。これにより、高温暖房端末において高温暖房を行う場合に、バイパス路開閉手段により、バイパス路を通流する熱媒の流量を調整することで、ひいては、高温暖房端末に通流する熱媒の流量を調整することで、高温暖房端末に通流する熱媒の熱量を調整し、高温暖房端末による高温暖房の暖房能力を調整することが可能となる。
また、同様に、高温低温同時暖房運転を行う場合に、バイパス路に通流する熱媒の流量を調整することで、高温暖房端末及び低温暖房端末に通流する熱媒の熱量を調整し、高温暖房端末における高温暖房の暖房能力及び低温暖房端末における低温暖房の暖房能力を調整することができる。
【００１８】
本発明に係る熱媒供給設備の運転制御方法の第１特徴構成は、前記第１特徴構成を備える熱媒供給設備において、前記低温暖房端末に冷房運転が要求された場合は、前記制御手段に、前記低温側熱媒通流調整手段を開状態、前記高温側熱媒通流調整手段を閉状態、前記流路切替手段を前記冷房側状態とした状態で、熱媒を前記低温熱媒通流路と前記熱媒冷却通流路とを循環させて前記低温暖房端末で冷房運転を行わせる冷房運転制御を行わせる点にある。
【００１９】
本特徴構成によれば、前記第１特徴構成を備える熱媒供給設備において、低温暖房端末に冷房運転が要求された場合は、制御手段に、低温側熱媒通流調整手段を開状態、高温側熱媒通流調整手段を閉状態とし、流路切替手段を冷房側状態とした状態で、熱媒を低温熱媒通流路と熱媒冷却通流路とを循環させて低温暖房端末で冷房運転を行わせる。即ち、熱媒加熱通流路及び高温熱媒通流路への循環通流を閉止し、熱媒を低温熱媒通流路及び熱媒冷却通流路からなる閉回路を循環させる状態で冷房運転が行われる。
熱媒加熱通流路への循環通流が閉止されることにより、冷却手段で冷却された冷温の熱媒が熱媒加熱通流路に設けられた加熱手段を循環通流することが防止される。これにより、加熱手段における結露を防ぎ、設備の性能の劣化及び耐久性の低下を防止することができる。
【００２０】
また、熱媒の熱媒加熱通流路及び高温熱媒通流路への循環通流を閉止していることから、熱媒は高温熱媒通流路及び熱媒加熱通流路を通流することなく、低温熱媒通流路及び熱媒冷却通流路からなる閉回路を循環する。これにより、熱媒が設備を内部循環することによる圧力降下を抑えることができるため、熱媒の循環に必要な熱媒循環手段の揚程の確保が容易となる。
【００２１】
本発明に係る熱媒供給設備の運転制御方法の第２特徴構成は、前記第２又は第３特徴構成のいずれかを備える熱媒供給設備において、前記低温暖房端末に冷房運転が要求された場合は、前記制御手段に、前記低温側熱媒通流調整手段を開状態、前記高温側熱媒通流調整手段を閉状態、前記流路切替手段を前記冷房側状態、前記バイパス路開閉手段を閉状態とした状態で、熱媒を前記低温熱媒通流路と前記熱媒冷却通流路とを循環させて前記低温暖房端末で冷房運転を行わせる冷房運転制御を行わせる点にある。
【００２２】
本特徴構成によれば、前記第２又は第３特徴構成のいずれかを備える熱媒供給設備において、前記低温暖房端末に冷房運転が要求された場合は、制御手段に、低温側熱媒通流調整手段を開状態、高温側熱媒通流調整手段を閉状態、流路切替手段を冷房側状態、バイパス路開閉手段を閉状態とした状態で、熱媒を低温熱媒通流路と熱媒冷却通流路とを循環させて前記低温暖房端末で冷房運転を行わせるため、熱媒冷却通流路に設けられた冷却手段で冷却された冷温の熱媒の循環路を、低温熱媒通流路及び熱媒冷却通流路からなる閉回路に限定できる。これにより、高温熱媒通流路にバイパス路を備える熱媒供給設備において、熱媒が熱媒加熱通流路に通流するのを防止し、加熱手段における結露を防ぐことができる。ひいては、結露に基づく設備の性能の劣化や耐久性の低下を防止することができる。
【００２３】
本発明に係る熱媒供給設備の運転制御方法の第３特徴構成は、前記第２特徴構成を備える運転制御方法において、前記低温暖房端末に冷房運転が要求された場合に、前記制御手段に前記冷房運転制御を行わせる前に、前記低温側熱媒通流調整手段と前記高温側熱媒通流調整手段とを閉状態、前記バイパス路開閉手段を開状態とした状態で、熱媒を前記バイパス路経由で前記熱媒加熱通流路を循環させて前記加熱手段で放熱させる放熱運転制御を行わせる点にある。
【００２４】
本特徴構成によれば、前記第２特徴構成を備える運転制御方法において、低温暖房端末に冷房運転が要求された場合に、制御手段に冷房運転制御を行わせる前に、低温側熱媒通流調整手段と高温側熱媒通流調整手段とを閉状態、流路切替手段を暖房側状態、バイパス路開閉手段を開状態とするように作動を制御させた状態で、熱媒をバイパス路経由で熱媒加熱通流路を循環させて加熱手段で放熱させる放熱運転を行う。
即ち、前記第２特徴構成を備える運転制御方法において、低温暖房端末に冷房運転が要求された場合に、冷房運転に先立ち放熱運転を行う。具体的には、低温側熱媒通流調整手段と高温側熱媒通流調整手段とを閉状態として、低温熱媒通流路及び高温熱媒通流路への熱媒の通流を閉止するとともに、流路切替手段を暖房側状態、バイパス路開閉手段を開状態として、熱媒加熱通流路とバイパス路とを接続して閉回路を構成する。そして、熱媒加熱通流路に設けられた加熱手段を放熱手段として利用しながら、熱媒を当該閉回路を循環させることで、放熱運転を行うことができる。このように、冷房運転に先立って放熱運転を行い、予め熱媒を放熱させて低温としておくことで、よりスムーズに冷房運転に移行することができる。
また、加熱手段が送風機を備えている場合は、送風機により放熱用空気を供給して熱交換器を冷却することで、熱交換器における熱媒の放熱効果をより高めることができる。これにより、送風機を熱媒加熱時の燃焼用空気の供給だけでなく、熱媒放熱時の放熱用空気の供給に活用することができるため、効果的な放熱を行えるとともに、設備を有効利用することができる。
【００２５】
本発明に係る熱媒供給設備の運転制御方法の第４特徴構成は、前記第１〜第３特徴構成のいずれかを備える熱媒供給設備において、
前記低温暖房端末に運転の要求がなく且つ前記高温暖房端末に高温暖房運転が要求される高温単独暖房運転が要求された場合は、前記高温側熱媒通流調整手段を開状態、前記低温側熱媒通流調整手段を閉状態、前記流路切替手段を前記暖房側状態とした状態で、
前記高温暖房端末に運転の要求がなく且つ前記低温暖房端末に低温暖房運転が要求される低温単独暖房運転が要求された場合は、前記高温側熱媒通流調整手段を閉状態、前記低温側熱媒通流調整手段を開状態、前記流路切替手段を前記暖房側状態とした状態で、
前記高温暖房端末に高温暖房運転が要求され且つ前記低温暖房端末に低温暖房運転が要求される高温低温同時暖房運転が要求された場合は、前記高温側熱媒通流調整手段及び前記低温側熱媒通流調整手段を開状態、前記流路切替手段を前記暖房側状態とした状態で、
前記加熱手段で加熱した熱媒を循環させて暖房運転を行わせる暖房運転制御を前記制御手段に行わせる点にある。
【００２６】
本特徴構成によれば、前記第１〜第３特徴構成のいずれかを備える熱媒供給設備において、高温側熱媒通流調整手段、低温側熱媒通流調整手段、流路切替手段の作動を適切に制御することで、冷房運転だけでなく、高温単独暖房運転、低温単独暖房運転、高温低温同時暖房運転を行うことができる。これにより、冷房運転だけでなく、高温暖房運転、低温暖房運転、高温低温同時暖房を行うことができる利便性の高い熱媒供給設備の運転制御方法を提供することができる。
【図面の簡単な説明】
【００２７】
【図１】熱媒供給設備の全体構成を示すブロック図
【図２】熱媒供給設備の制御フロー図
【図３】高温単独暖房運転時の熱媒の循環状態を示す図
【図４】低温単独暖房運転時の熱媒の循環状態を示す図
【図５】高温低温同時暖房運転時の熱媒の循環状態を示す図
【図６】放熱運転時の熱媒の循環状態を示す図
【図７】冷房運転時の熱媒の循環状態を示す図
【発明を実施するための形態】
【００２８】
以下、図面に基づいて、本発明の実施形態を説明する。
図１に示すように、熱媒供給設備は、高温暖房端末１、低温暖房端末２、それら高温暖房端末１や低温暖房端末２に加熱した熱媒を循環供給する熱源機Ｇ、この熱媒供給設備の運転を制御する制御手段としての主制御部Ｃ、高温暖房端末１の運転を制御する高温端末制御部３、その高温端末制御部３に高温暖房端末１を運転するための各種制御情報を指令する高温側操作部４、低温暖房端末２の運転を制御する低温端末制御部５、その低温端末制御部５に低温暖房端末２を運転するための各種制御情報を指令する低温側操作部６等を備えて構成されている。
ちなみに、高温暖房端末１としては、例えば浴室暖房乾燥装置やファンコンベクターが設けられ、低温暖房端末２としては、例えば床冷暖房装置やパネルラジエータが設けられる。低温暖房端末２は、低温暖房運転及び冷房運転が可能な端末で構成される。
【００２９】
熱源機Ｇは、熱交換器７を含む加熱手段Ｈを経由して熱媒を通流させる熱媒加熱通流路８、熱交換器７を加熱するガスバーナ９、ガスバーナ９に燃焼用空気を供給し或いは熱交換器７に放熱用空気を供給することが可能な送風機１０、熱媒加熱通流路８における加熱手段Ｈと熱媒加熱通流路８における熱媒送出用の出口８ｅとの間の往き流路部分８１と、熱媒加熱通流路８における熱媒戻し用の入口８ｉと熱媒加熱通流路８における後述する低温熱媒通流路２４の接続点との間の流路部分と、を連通接続するバイパス路１１、及び、バイパス路１１における熱媒の通流を断続するようにバイパス路１１を開閉するバイパス路開閉手段であり、バイパス路１１を通流する熱媒の流量を調整自在に設けられたバイパス路熱動弁３３等を備えて構成されている。なお、加熱手段Ｈは、熱交換器７、ガスバーナ９、送風機１０、により、熱交換器７を通流する熱媒を加熱又は放熱可能に構成されている。
【００３０】
熱媒加熱通流路８における熱媒戻し用の入口８ｉの下流であって熱交換器７までの流路である戻り流路部分８２には、膨張タンク１２が介装され、更に、その戻り流路部分８２における膨張タンク１２よりも下流側の箇所には、熱媒を熱媒加熱通流路８の熱媒送出用の出口８ｅ（即ち、往き流路部分８１の出口８ｅ）に向けて流動させる熱媒循環手段である熱媒循環ポンプ１３が設けられている。
【００３１】
ガスバーナ９へガス燃料を供給する燃料供給路１４には、ガスバーナ９へのガス燃料の供給を断続する燃料断続弁１５、及び、ガスバーナ９へのガス燃料の供給量を調整する燃料調整弁１６が設けられている。
更に、ガスバーナ９に点火するイグナイタ１７、及び、ガスバーナ９の燃焼状態を検出するフレームロッド１８も設けられている。
【００３２】
熱媒加熱通流路８の往き流路部分８１の出口８ｅには、高温側往き接続部材１９が設けられ、熱媒加熱通流路８の熱媒戻し用の入口８ｉ（即ち、戻り流路部分８２の入口８ｉ）には、共通戻り接続部材２０が設けられ、更に、熱媒加熱通流路８の戻り流路部分８２における熱媒循環ポンプ１３と熱交換器７との間の流路部分（即ち、熱媒戻し用の入口８ｉと加熱手段Ｈとの間の流路部分に相当する）から低温側接続用流路２１が分岐されて、その低温側接続用流路２１の先端の熱媒送出用の出口２１ｅには、低温側往き接続部材２２が設けられている。
【００３３】
熱媒加熱通流路８の往き流路部分８１におけるバイパス路１１の分岐箇所よりも上流側には、その熱媒送出用の出口８ｅから送出される熱媒の温度を検出する供給温度検出手段としての供給温度センサ２３が設けられ、膨張タンク１２には、戻り流路８２を経由して低温側接続用流路２１の熱媒送出用の出口２１ｅから送出される熱媒の温度、即ち、後述する低温熱媒通流路２４を通して低温暖房端末２に供給される熱媒の温度を検出する低温側往き温度検出手段としての低温側往き温度センサ２５が設けられている。
【００３４】
高温暖房端末１が設けられた高温熱媒通流路２６が、高温側往き接続部材１９と共通戻り接続部材２０とに接続された状態で設けられている。
また、低温暖房端末２が設けられた低温熱媒通流路２４が、低温側往き接続部材２２と前記共通戻り接続部材２０とに接続された状態で設けられている。
つまり、高温暖房端末１が設けられた高温熱媒通流路２６が、熱媒を加熱及び放熱可能な加熱手段Ｈを経由して熱媒を通流させる熱媒加熱通流路８における熱媒送出用の出口８ｅと熱媒戻し用の入口８ｉとに接続された状態で設けられ、低温暖房端末２が設けられた低温熱媒通流路２４が、熱媒加熱通流路８における熱媒戻し用の入口８ｉと加熱手段Ｈとの間の流路部分と熱媒戻し用の入口８ｉとに接続された状態で設けられている。
【００３５】
高温熱媒通流路２６における高温暖房端末１よりも上流側の部分に、高温暖房端末１への熱媒供給を調整する高温側熱媒通流調整手段である高温側熱動弁２７が設けられ、低温熱媒通流路２４における低温暖房端末２よりも上流側の部分に、低温暖房端末２への熱媒供給を調整する低温側熱媒通流調整手段である低温側熱動弁２８が設けられている。
【００３６】
高温暖房端末１の一例として設けられる浴室暖房乾燥装置は周知であるので、詳細な説明及び図示を省略して簡単に説明すると、その高温暖房端末１は、高温熱媒通流路２６からの熱媒を通流させる高温端末用熱交換器、暖房対象空間から吸引した空気を前記高温端末用熱交換器に通風させた後に暖房対象空間に戻すように通風作用する循環用送風機及び暖房対象空間の空気を排気する排気用送風機等を備えて構成されている。
低温暖房端末２の一例として設けられる床冷暖房装置も周知であるので、詳細な説明及び図示を省略して簡単に説明すると、その床冷暖房装置は、低温熱媒通流路２４からの熱媒を通流させる熱媒流通管を床冷暖房パネルに埋入状態に装備して構成してある。
【００３７】
また、熱媒を冷却可能な冷却手段Ｒである冷却装置３０を経由して熱媒を通流させる熱媒冷却通流路３２が、低温熱媒通流路２４における低温暖房端末２と熱媒戻し用の入口８ｉとの間の流路部分において、流路切替手段である四方弁３１により、低温暖房端末２と熱媒戻し用の入口８ｉとを接続する熱媒通流路として低温熱媒通流路２４に接続された冷房側状態と、低温熱媒通流路２４から分離された暖房側状態と、を切替自在な状態で設けられている。冷却装置３０としては、例えばヒートポンプや地中杭が設けられる。
【００３８】
高温端末制御部３は、高温側操作部４及び主制御部Ｃの夫々と通信可能に構成され、低温端末制御部５は、低温側操作部６及び主制御部Ｃの夫々と通信可能に構成されている。
また、高温側操作部４及び低温側操作部６で要求された運転状態に基づいて、制御手段である主制御部Ｃが、高温側熱媒通流調整手段である高温側熱動弁２７と、低温側熱媒通流調整手段である低温側熱動弁２８と、前記流路切替手段である四方弁３１と、バイパス路開閉手段であるバイパス路熱動弁３３との作動を制御するように構成されている。
【００３９】
高温側操作部４には、高温暖房端末１の運転の開始及び停止を指令する運転スイッチ４１等が設けられている。
【００４０】
低温側操作部６には、低温暖房端末２の運転の開始及び停止を指令する運転スイッチ６１、低温暖房端末２で暖房運転若しくは冷房運転のいずれを行うかを選択する冷暖房選択スイッチ６２、低温暖房端末２に要求する冷暖房の能力を示す制御情報として複数段階の冷暖房能力からいずれか１つを設定する冷暖房能力設定スイッチ６３、その冷暖房能力設定スイッチ６３にて設定されている冷暖房能力を表示するランプからなる冷暖房能力表示部６４等が設けられている。
そして、低温端末制御部５は、冷暖房能力設定スイッチ６３にて設定されている冷暖房能力と低温側往き温度センサ２５で検出される熱媒の温度とに基づいて、低温側熱動弁２８の開度を、低温側往き温度センサ２５で検出される熱媒の温度が冷暖房能力毎に設定されている目標温度に近づくように調整するように構成されている。
【００４１】
高温端末制御部３は、高温側操作部４の運転スイッチ４１により高温暖房端末１の運転開始が指令されると、主制御部Ｃに、高温暖房運転を行うための回路の構成と、高温暖房端末１への熱媒の供給とを指令する。また、高温側操作部４の運転スイッチ４１により高温暖房端末１の運転停止が指令されると、主制御部Ｃに、高温暖房端末１への熱媒供給の停止を指令するように構成されている。
低温端末制御部５は、低温側操作部６の運転スイッチ６１により低温暖房端末２の運転開始が指令されると、主制御部Ｃに、冷暖房選択スイッチ６２における暖房運転若しくは冷房運転の選択に基づく回路の構成と、低温暖房端末２への熱媒の供給と、冷暖房能力設定スイッチ６３にて設定されている冷暖房能力と低温側往き温度センサ２５で検出される熱媒の温度とに基づく低温側熱動弁２８の開度の調整とを指令する。また、低温側操作部６の運転スイッチ６１により低温暖房端末２の運転停止が指令されると、主制御部Ｃに、低温暖房端末２への熱媒供給の停止を指令するように構成されている。
【００４２】
〔熱媒供給設備の制御〕
以下では、図２の制御フロー図及び図３〜図７の熱媒の循環状態を示す図に基づいて、熱媒供給設備の挙動を説明する。
【００４３】
熱媒供給設備への指令は、高温側操作部４及び低温側操作部６を通じて、高温端末制御部３及び低温端末制御部５に制御情報を指令することにより行う。高温側操作部４及び低温側操作部６から制御情報が指令されると、当該制御情報は高温端末制御部３及び低温端末制御部５を介して主制御部Ｃに通信される。
【００４４】
図２に示すように、主制御部Ｃは、高温端末制御部３或いは低温端末制御部５から制御情報を受信すると（＃１）、当該制御情報に基づいて高温暖房端末１及び低温暖房端末２に要求される運転状態を判断する（＃２）。
図２の＃２（運転状態判断）の分岐に示されるように、高温暖房端末１及び低温暖房端末２に要求される運転状態には、加熱手段Ｈにより熱媒を加熱して高温の熱媒として循環させ、暖房に活用する暖房運転（Ａ）、冷却手段Ｒにより熱媒を冷却して冷温の熱媒として循環させ、冷房に活用する冷房運転（Ｂ）、暖房運転若しくは冷房運転を停止させる運転停止（Ｃ）、がある。
また、暖房運転（Ａ）には、高温暖房端末１でのみ暖房を行う高温単独暖房運転（Ａ−１）、低温暖房端末２でのみ暖房を行う低温単独暖房運転（Ａ−２）、高温暖房端末１及び低温暖房端末２の双方で暖房を行う高温低温同時暖房運転（Ａ−３）、がある。
以下では、上記の運転状態毎に、熱媒供給設備の挙動を説明する。
【００４５】
（Ａ−１）高温単独暖房運転
主制御部Ｃは、高温端末制御部３において高温暖房端末１での高温暖房運転が指令され、且つ、低温端末制御部５において低温暖房端末２での低温暖房運転が指令されていない場合は、運転状態として、高温暖房端末１のみに熱媒を供給する高温単独暖房運転が指令されたと判断する（＃１→＃２：暖房運転）。そして、回路を高温単独暖房用に構成した上で（＃１１）、高温暖房運転として、供給温度センサ２３の検出温度が高温暖房端末１へ供給するための熱媒の温度に設定された高温用設定温度（例えば８０℃）になるように加熱手段Ｈの加熱作動を制御し且つ熱媒循環ポンプ１３を作動させる（＃１２）。
【００４６】
本発明に係る熱媒供給設備は、図３の熱媒の循環状態により、高温単独暖房運転を行う。即ち、主制御部Ｃは、高温単独暖房運転が指令されると、四方弁３１を暖房側状態とし、高温側熱動弁２７を開弁し且つ低温側熱動弁２８を閉弁させるとともに、バイパス路熱動弁３３を開弁させて、高温単独暖房運転用の回路を構成する（＃１１）。
高温単独暖房運転用の回路の構成後、主制御部Ｃは、熱媒循環ポンプ１３を作動させて、高温熱媒通流路２６を通して熱媒を循環させる状態で、送風機１０を作動させ、燃料断続弁１５及び燃料調整弁１６を開弁し、イグナイタ１７を作動させてガスバーナ９に点火する点火処理を実行し、以降、供給温度センサ２３の検出温度が前記高温用設定温度になるようにガスバーナ９への燃料供給量を調整すべく燃料調整弁１６の開度を調整し、且つ、その燃料供給量に応じた燃焼用空気通風量になるように送風機１０の回転速度を調整する（＃１２）。
これにより、図３に示すように、熱媒は加熱手段Ｈで加熱され、前記高温用設定温度の熱媒となって、熱媒加熱通流路８、高温熱媒通流路２６及びバイパス路１１を循環し、高温暖房端末１において、高温暖房に利用される。
【００４７】
上記の高温単独暖房運転は、主制御部Ｃが、他の暖房運転（Ａ）、冷房運転（Ｂ）、運転停止（Ｃ）、のいずれかの制御情報を受信するまで行われる。
他の暖房運転（Ａ）である低温暖房運転の運転開始の制御情報を受信した場合は、後述する高温低温同時暖房運転（Ａ−３）が指令されたと判断し、当該暖房運転を行う。また、冷房運転（Ｂ）の運転開始の制御情報を受信した場合は、後述する冷房運転を行う。
【００４８】
また、運転停止（Ｃ）の制御情報を受信した場合は、運転停止が指令されたと判断する（＃１→＃２：運転停止）。この場合、暖房運転の停止であるため、ポストパージ処理を行う（＃３１：Ｙｅｓ→＃３２）。即ち、主制御部Ｃは、燃料断続弁１５及び燃料調整弁１６を閉弁し、当該閉弁後、送風機１０によるポストパージを行い、ポストパージ用設定時間が経過すると、送風機１０を停止させる（＃３２）。そして、当該ポストパージ処理の実行後、高温側熱動弁２７を閉弁し、熱媒循環ポンプ１３を停止させて、運転停止状態の回路構成とする（＃３３）。
【００４９】
（Ａ−２）低温単独暖房運転
主制御部Ｃは、低温端末制御部５において低温暖房端末２での低温暖房運転が指令され、且つ、高温端末制御部３において高温暖房端末１での高温暖房運転が指令されていない場合は、運転状態として、低温暖房端末２のみに熱媒を供給する低温単独暖房運転が指令されたと判断する（＃１→＃２：暖房運転）。そして、回路を低温単独暖房用に構成した上で（＃１１）、低温暖房運転として、低温側往き温度センサ２５の検出温度が前記高温用設定温度よりも低い低温暖房端末２へ供給するための熱媒の温度に設定された低温用設定温度（例えば６０℃）になるように加熱手段Ｈの加熱作動を制御し且つ熱媒循環ポンプ１３を作動させる（＃１２）。
【００５０】
本発明に係る熱媒供給設備は、図４の熱媒の循環状態により、低温単独暖房運転を行う。即ち、主制御部Ｃは、低温単独暖房運転が指令されると、四方弁３１を暖房側状態とし、低温側熱動弁２８を開弁させ且つ高温側熱動弁２７を閉弁させるとともに、バイパス路熱動弁３３を開弁させて、低温単独暖房運転用の回路を構成する（＃１１）。
低温単独暖房運転用の回路の構成後、主制御部Ｃは、熱媒循環ポンプ１３を作動させて、低温熱媒通流路２４を通して熱媒を循環させる状態で、前記点火処理を実行し、以降、低温側往き温度センサ２５の検出温度が前記低温用設定温度になるようにガスバーナ９への燃料供給量を調整すべく燃料調整弁１６の開度を調整し、且つ、その燃料供給量に応じた燃焼用空気通風量になるように送風機１０の回転速度を調整する。また、低温端末制御部５が、冷暖房能力設定スイッチ６３にて設定されている暖房能力と低温側往き温度センサ２５で検出される熱媒の温度とに基づいて、低温暖房運転用の回路が断絶された状態とならないように、低温側熱動弁２８の開度を閉弁させない範囲で調整して、暖房能力を制御する（＃１２）。
これにより、図４に示すように、熱媒は加熱手段Ｈで加熱され、前記低温用設定温度の熱媒となって、熱媒加熱通流路８、低温熱媒通流路２４及びバイパス路１１を循環し、低温暖房端末２において、低温暖房に利用される。
【００５１】
上記の低温単独暖房運転は、主制御部Ｃが、他の暖房運転（Ａ）、冷房運転（Ｂ）、運転停止（Ｃ）、のいずれかの制御情報を受信するまで行われる。
他の暖房運転（Ａ）である高温暖房運転の運転開始の制御情報を受信した場合は、後述する高温低温同時暖房運転（Ａ−３）が指令されたと判断し、当該暖房運転を行う。また、冷房運転（Ｂ）の制御情報を受信した場合は、後述する冷房運転を行う。
【００５２】
また、運転停止（Ｃ）の制御情報を受信した場合は、運転停止が指令されたと判断する（＃１→＃２：運転停止）。この場合、暖房運転の停止であるため、前記ポストパージ処理を行う（＃３１：Ｙｅｓ→＃３２）。そして、当該ポストパージ処理の実行後、低温側熱動弁２８を閉弁し、熱媒循環ポンプ１３を停止させて、運転停止状態の回路構成とする（＃３３）。
【００５３】
（Ａ−３）高温低温同時暖房運転
主制御部Ｃは、高温端末制御部３において高温暖房端末１での高温暖房運転が指令され、且つ、低温端末制御部５において低温暖房端末２での低温暖房運転が指令された場合は、運転状態として、高温暖房端末１と低温暖房端末２とに熱媒を供給する高温低温同時暖房運転が指令されたと判断する（＃１→＃２：暖房運転）。そして、回路を高温低温同時暖房用に構成した上で（＃１１）、供給温度センサ２３の検出温度が前記高温用設定温度（例えば８０℃）になるように加熱手段Ｈの加熱作動を制御し且つ熱媒循環ポンプ１３を作動させる（＃１２）。
【００５４】
本発明に係る熱媒供給設備は、図５の熱媒の循環状態により、高温低温同時暖房運転を行う。即ち、主制御部Ｃは、高温低温同時暖房運転が指令されると、四方弁３１を暖房側状態とし、高温側熱動弁２７及び低温側熱動弁２８を開弁させるとともに、バイパス路熱動弁３３を開弁させて、高温低温同時暖房運転用の回路を構成する（＃１１）。
高温低温同時暖房運転用の回路の構成後、主制御部Ｃは、熱媒循環ポンプ１３を作動させて、高温熱媒通流路２６と低温熱媒通流路２４とを通して熱媒を循環させる状態で前記点火処理を実行し、以降、供給温度センサ２３の検出温度が前記高温用設定温度になるようにガスバーナ９への燃料供給量を調整すべく燃料調整弁１６の開度を調整し、且つ、その燃料供給量に応じた燃焼用空気通風量になるように送風機１０の回転速度を調整する。また、低温端末制御部５が、冷暖房能力設定スイッチ６３にて設定されている暖房能力と低温側往き温度センサ２５で検出される熱媒の温度とに基づいて、低温熱媒通流路２４が暖房運転用の回路から断絶された状態とならないように、低温側熱動弁２８の開度を閉弁させない範囲で調整して、暖房能力を制御する（＃１２）。
これにより、図５に示すように、熱媒は加熱手段Ｈで加熱され、前記高温用設定温度の熱媒となって、熱媒加熱通流路８、高温熱媒通流路２６及びバイパス路１１を循環し、高温暖房端末１において、高温暖房に利用される。また、高温暖房端末１で利用され、温度が低下した熱媒の一部は、バイパス路１１からの高温の熱媒と混合されて、低温熱媒通流路２４に通流し、低温暖房端末２において、低温暖房に利用される。
【００５５】
なお、先述したように、主制御部Ｃは、高温単独暖房運転（Ａ−１）の実行中に低温端末制御部５から低温暖房端末２での低温暖房運転が指令されたとき、及び、低温単独暖房運転（Ａ−２）の実行中に高温端末制御部３から高温暖房端末１での高温暖房運転が指令されたときも、高温低温同時暖房運転が指令されたと判断するように構成されている。
【００５６】
また、主制御部Ｃは、高温低温同時暖房運転（Ａ−３）の実行中に、高温端末制御部３から高温暖房端末１の運転停止が指令されると、高温側熱動弁２７を閉弁して高温熱媒通流路２６への熱媒の循環を停止して、低温単独暖房運転（Ａ−２）を実行するように構成されている。
また、主制御部Ｃは、高温低温同時暖房運転（Ａ−３）の実行中に、低温端末制御部５から低温暖房端末２の運転停止が指令されると、低温側熱動弁２８を閉弁して低温熱媒通流路２４への熱媒の循環を停止して、高温単独暖房運転（Ａ−１）を実行するように構成されている。
さらに、主制御部Ｃは、高温低温同時暖房運転（Ａ−３）の実行中に、高温端末制御部３から高温暖房端末１の運転停止と低温端末制御部５から低温暖房端末２の運転停止とが同時に指令されると、暖房運転の停止が指令されたと判断し、前記ポストパージ処理を実行する（＃１→＃２：運転停止→＃３１：Ｙｅｓ→＃３２）。そして、ポストパージ処理の実行後、高温側熱動弁２７及び低温側熱動弁２８を閉弁し、熱媒循環ポンプ１３を停止させて、運転停止状態の回路構成とする（＃３３）。
【００５７】
（Ｂ）冷房運転
主制御部Ｃは、低温端末制御部５において低温暖房端末２での冷房運転が指令されると、運転状態として冷房運転が指令されたと判断する。そして、まず放熱運転を行い、続いて冷房運転を実行する。
即ち、主制御部Ｃは、冷房運転を指令する制御情報を受信すると（＃１→＃２：冷房運転）、回路を放熱運転用に構成し（＃２１）、低温側往き温度センサ２５の検出温度が冷房運転を開始するための熱媒の基準温度として設定された放熱用設定温度（例えば人間の体温より若干高い４０℃）以下になるように、加熱手段Ｈを放熱用に作動させ且つ熱媒循環ポンプ１３を作動させて、放熱運転を実行する（＃２２）。
そして、低温側往き温度センサ２５の検出温度が放熱用設定温度以下となった後、冷房運転を実行する。即ち、回路を冷房運転用に構成した上で（＃２３）、低温側往き温度センサ２５の検出温度が冷房用設定温度（例えば地中杭による冷却による１５℃）になるように冷却装置３０の作動を制御し且つ熱媒循環ポンプ１３を作動させて、冷房運転を実行する（＃２４）。
【００５８】
以下では、放熱運転及び冷房運転について、さらに詳細に説明する。
本発明に係る熱媒供給設備は、図６の熱媒の循環状態により、放熱運転を行う。即ち、主制御部Ｃは、放熱運転が指令されると、四方弁３１を暖房側状態とし、低温側熱動弁２８及び高温側熱動弁２７を閉弁させるとともに、バイパス路熱動弁３３を開弁させて、放熱運転用の回路を構成する（＃２１）。
放熱運転用の回路の構成後、主制御部Ｃは、熱媒循環ポンプ１３を作動させて、熱媒加熱通流路８及びバイパス路１１を通して熱交換器７を含む加熱手段Ｈを経由して熱媒を循環させるとともに、送風機１０を作動させて、熱交換器７に放熱用空気を供給して冷却し、熱交換器７を通流する熱媒を放熱させる（＃２２）。
これにより、図６に示すように、熱媒は加熱手段Ｈで放熱され、前記放熱用設定温度以下となるまで低温熱媒通流路２４及び熱媒冷却通流路３２を循環する。
【００５９】
本発明に係る熱媒供給設備は、上記放熱運転が完了すると、図７に示す冷房運転用の回路を構成し、冷房運転を行う。即ち、主制御部Ｃは、上記放熱運転が完了すると、四方弁３１を前記冷房側状態とし、低温側熱動弁２８を開弁させ、且つ、高温側熱動弁２７及びバイパス路熱動弁３３を閉弁させて、冷房運転用の回路を構成する（＃２３）。
冷房運転用の回路の構成後、主制御部Ｃは、熱媒循環ポンプ１３を作動させて、低温熱媒通流路２４及び熱媒冷却通流路３２を通して熱媒を循環させる。以降、低温側往き温度センサ２５の検出温度が前記冷房用設定温度になるように冷却装置３０の作動を制御する。また、低温端末制御部５が、冷暖房能力設定スイッチ６３にて設定されている冷房能力と低温側往き温度センサ２５で検出される熱媒の温度とに基づいて、冷房運転用の回路が断絶された状態とならないように、低温側熱動弁２８の開度を閉弁させない範囲で調整して、冷房能力を制御する（＃２４）。
これにより、図７に示すように、熱媒は冷却装置３０で冷却され、前記冷房用設定温度の熱媒となって、低温熱媒通流路２４及び熱媒冷却通流路３２を循環し、低温暖房端末２において、冷房に利用される。
【００６０】
上記の冷房運転は、主制御部Ｃが、暖房運転（Ａ）、若しくは、運転停止（Ｃ）、のいずれかの制御情報を受信するまで行われる。
暖房運転（Ａ）の制御情報を受信した場合は、前記した暖房運転を行う。また、運転停止（Ｃ）の制御情報を受信した場合は、運転停止が指令されたと判断する（＃１→＃２：運転停止）。この場合、冷房運転の停止であるため、ポストパージ処理は行わず、冷却装置３０を停止し、低温側熱動弁２８を閉弁し、熱媒循環ポンプ１３を停止させて、運転停止状態の回路構成とする（＃３１：Ｎｏ→＃３３）。
【００６１】
〔別実施形態〕
以下、本発明の別実施形態について説明する。
【００６２】
（イ）上記実施形態では、低温冷暖房端末に要求する冷暖房の能力を複数段階の冷暖房能力で設定する構成を例示したが、当該構成は例示に過ぎず、低温冷暖房端末に要求する冷暖房の能力を設定する構成は、当該構成に限定されるものではない。
例えば、低温暖房端末にて暖房する対象の暖房対象空間の温度を検出する対象空間温度検出手段と、暖房対象空間を暖房する目標暖房温度を設定する目標暖房温度設定手段とを設けて、目標暖房温度設定手段で設定される目標暖房温度と対象空間温度検出手段の検出温度との温度差に基づいて、低温冷暖房端末に要求する冷暖房の能力を決定する構成としてもよい。
【００６３】
（ロ）上記実施形態では、高温側熱媒通流調整手段を熱動弁（高温側熱動弁）で構成し、開閉制御する構成を例示したが、別実施形態として、高温側熱媒通流調整手段を開閉作動（高温暖房端末への熱媒供給の断続）のみが可能な開閉弁で構成し、上記実施形態における高温側熱動弁と同様に開閉作動させる構成としてもよい。
また、上記実施形態では、高温側熱媒通流調整手段である高温側熱動弁を開弁又は閉弁する開閉制御のみを行う構成を例示したが、別実施形態として、高温側熱動弁を開弁する場合（高温単独暖房運転又は高温低温同時暖房運転の場合）に、高温側熱動弁の開度を調整して高温暖房端末の暖房能力を制御する構成としてもよい。
【００６４】
（ハ）上記実施形態では、低温暖房の暖房能力及び冷房時の冷房能力を制御する構成として、冷暖房能力設定スイッチで設定されている冷暖房能力に基づいて、低温側熱動弁の開度を調整して低温暖房端末の冷暖房能力を制御する構成を例示したが、別実施形態として、低温側熱媒通流調整手段を開閉作動（低温暖房端末への熱媒供給の断続）のみが可能な開閉弁で構成し、低温暖房時及び冷房運転時は当該開閉弁を開状態とし、加熱手段の加熱能力或いは冷却手段の冷却能力を調整することで冷暖房能力を制御する構成としてもよい。
【００６５】
（ニ）上記実施形態では、加熱手段の加熱源としてガスバーナを備える構成を例示したが、当該構成は例示に過ぎず、これに限定されるものではない。例えば、電気ヒータ等を加熱源として構成してもよい。
【００６６】
（ホ）上記実施形態では、放熱運転から冷房運転への移行について、供給温度センサの検出温度が放熱用設定温度以下になった場合に放熱運転から冷房運転に移行させる構成を例示したが、当該構成は例示に過ぎず、これに限定されるものではない。例えば、放熱運転を所定時間実行した後、冷房運転に移行する等の他の構成としてもよい。
【００６７】
（へ）上記実施形態では、低温暖房端末に冷却手段により冷却された冷媒を循環させる構成を説明したが、加熱手段Ｈをバイパスさせる形態で、高温暖房端末、膨張タンク、熱媒循環ポンプに冷却手段により冷却された冷媒を循環させるようにしてもよい。
この場合、高温暖房端末に対して、低温暖房端末とは独立に冷媒を循環させるようにしてもよいし、冷温暖房端末及び高温暖房端末の両方に循環させるようにしてもよい。
【符号の説明】
【００６８】
１      高温暖房端末
２      低温暖房端末
８      熱媒加熱通流路
８ｅ    熱媒送出用の出口
８ｉ    熱媒戻し用の入口
１１    バイパス路
１３    熱媒循環ポンプ（熱媒循環手段）
２４    低温熱媒通流路
２６    高温熱媒通流路
２７    高温側熱動弁（高温側熱媒通流調整手段）
２８    低温側熱動弁（低温側熱媒通流調整手段）
３０    冷却装置（冷却手段）
３１    四方弁（流路切替手段）
３２    熱媒冷却通流路
３３    バイパス路熱動弁（バイパス路開閉手段）
Ｃ      主制御部
Ｈ      加熱手段
Ｒ      冷却手段
【図１】
0005628722.tif 000002
【図２】
0005628722.tif 000003
【図３】
0005628722.tif 000004
【図４】
0005628722.tif 000005
【図５】
0005628722.tif 000006
【図６】
0005628722.tif 000007
【図７】
0005628722.tif 000008